(57)【要約】【課題】 加工性と硬度とのバランス、密着性、加工性、衛生性、フレーバー性及び耐沸騰水性に優れた塗膜を形成できる塗料組成物、特にポリオレフィン接着性、開栓容易性を必要とされる金属キャップ内面被覆用に適した塗料を提供する。【解決手段】数平均分子量が１，０００〜１００，０００、水酸基価が３〜４０ｍｇＫＯＨ／ｇ、ガラス転移温度が１０〜９０℃であるポリエステルポリオール樹脂（Ａ）、レゾール型フェノール樹脂架橋剤（Ｂ）、極性基含有ポリオレフィン樹脂粒子を有機溶剤中に分散せしめてなる樹脂分散体（Ｃ）、フッ素樹脂または反応性シリコーン化合物で変性された融点９０℃以上のワックスを有機溶剤中に溶解もしくは分散せしめてなるワックス溶液及び／または分散体（Ｄ）及び酸触媒（Ｅ）を含む塗料組成物。【選択図】なし。【特許請求の範囲】
【請求項１】
数平均分子量が１，０００〜１００，０００、水酸基価が３〜４０ｍｇＫＯＨ／ｇ、ガラス転移温度が１０〜９０℃であるポリエステルポリオール樹脂（Ａ）、レゾール型フェノール樹脂架橋剤（Ｂ）、極性基含有ポリオレフィン樹脂粒子を有機溶剤中に分散せしめてなる樹脂分散体（Ｃ）、フッ素樹脂または反応性シリコーン化合物で変性された融点９０℃以上のワックスを有機溶剤中に溶解もしくは分散せしめてなるワックス溶液及び／または分散体（Ｄ）及び酸触媒（Ｅ）を含んでなる塗料組成物であって、
（Ａ）と（Ｂ）との重量比が（Ａ）／（Ｂ）＝７０／３０〜３０／７０であり、かつ、
（Ａ）と（Ｂ）との合計１００重量部に対して（Ｅ）の酸相当部の重量が０．１〜５重量部であることを特徴とする塗料組成物。
【請求項２】
（Ａ）と（Ｂ）との合計１００重量部に対して、フッ素樹脂または反応性シリコーン化合物で変性された融点９０℃以上のワックスの量が０．１〜１０重量部であることを特徴とする請求項１記載の塗料組成物。
【請求項３】
請求項１または２記載の塗料組成物を用いてなる金属キャップ内面被覆用塗料。
【請求項４】
請求項３記載の金属キャップ内面被覆用塗料から形成される硬化塗膜により内面側が被覆されてなる金属キャップ。
【発明の詳細な説明】
【技術分野】
【０００１】
本発明は、加工性と硬度とのバランスに優れ、密着性、硬化性、衛生性及び耐沸騰水性に優れた硬化塗膜を形成できる塗料組成物、特にポリオレフィン接着性が要求される金属キャップ内面被覆用に好適に用いられ、キャップ開栓性を著しく改善することが可能な塗料組成物に関する。
【背景技術】
【０００２】
従来、加工性を必要とする金属缶内外面、金属蓋内外面、さらには金属キャップ内外面用塗料としては、アミノ−アルキド樹脂、アミノ−ポリエステル樹脂、ビニル−アミノ樹脂、ビニルオルガノゾル等の樹脂系の塗料が使用されている。
【０００３】
これらの塗料から得られる硬化塗膜は、加工性と硬度とのバランスに優れ、密着性も良好であるが、内容物である食品に接する食品包装用内面被覆用塗料として使用するには、フレーバー性（内容物の風味保持性）、衛生性、耐沸騰水性などが不十分であるという問題を有している。
【０００４】
ここに、包装容器等の用途に使用される金属キャップにおいては、塗料の硬化塗膜が両面に設けられた金属板を打ち抜き、さらには絞り加工して円筒状の形状とされ、さらにその内側の底部には、密栓性や内容物保護性を向上させる目的で、主としてポリオレフィン樹脂からなるライナーが、硬化塗膜層を介して積層される。
そのため、金属キャップの内面用塗料においては、それより得られる硬化塗膜と、前記の、主としてポリオレフィン樹脂からなるライナーとの接着性が良好である必要がある。
この接着性が不足すると、金属キャップの密栓性が低下し、内容物の漏れ等の不都合が発生する。
【０００５】
また、従来知られたポリオレフィン接着性塗料を、例えばスクリュー式開栓キャップに使用すると、開栓が容易でないという問題点を有していた。すなわち、キャップ開栓時にかなりの力を必要とし、子供や女性の力では開栓できないことがあった。
これは主として、容器本体の外面側、例えばボトル状の飲料容器であれば飲み口部に相当する部分と、その部分を覆っているキャップの内面側との間の滑り性が不足しているということに起因していた。
【０００６】
加工性と硬度とのバランスに優れ、かつ密着性、硬化性、フレーバー性、衛生性及び耐沸騰水性に優れた硬化塗膜を形成でき、缶胴部の内面にも使用できる塗料組成物として水酸基含有ポリエステルポリオール樹脂と特定のフェノール樹脂架橋剤と酸触媒とを所定量配合してなる塗料によって上記目的を達成できることが特開平２００１−１３１４７０号公報（特許文献１）及び特許第３４５３０９１号公報（特許文献２）に開示されている。
しかし特許文献１及び特許文献２に開示されている塗料組成物の樹脂組成ではポリオレフィン接着性を必要とされるキャップ内面被覆用塗料としては、ライナー材との接着性が低く、さらに硬化性が十分ではないという問題を有している。
また、ポリオレフィン接着性塗料として熱硬化性塗料にカルボキシル基を有する変性ポリオレフィンの粉末を配合した組成物が知られている。この接着性塗料は、ポリオレフィンに対する接着性と金属基材に対する密着性、耐腐食性とを兼ね備えており、ポリオレフィンライナー付王冠シェル、キャップ等の内面塗料として使用されている。例えば特公昭５８−２８２５号公報（特許文献３）には、かかる用途を目的としたポリオレフィン樹脂−金属接着構造物に関する技術が開示されている。
【特許文献１】特開平２００１−１３１４７０号公報
【特許文献２】特許第３４５３０９１号公報
【特許文献３】特公昭５８−２８２５号公報
【発明の開示】
【発明が解決しようとする課題】
【０００７】
本発明の目的は、加工性、硬度のバランスに優れ、環境ホルモン物質などを含まず衛生的であり、ポリオレフィン接着性も必要とされる金属キャップ内面用塗料として好適に使用でき、なおかつ優れたキャップ開栓性を発現することが可能な塗料組成物を提供することである。
【課題を解決するための手段】
【０００８】
本発明者らは、上記課題を解決するため鋭意研究した結果、ポリエステルポリオール樹脂と、特定のフェノール樹脂架橋剤と、極性基含有ポリオレフィン樹脂粒子を有機溶剤中に分散せしめてなる樹脂分散体と、フッ素樹脂または反応性シリコーン化合物で変性した融点９０℃以上のワックスを有機溶剤中に溶解もしくは分散せしめてなるワックス溶液及び／または分散体と、さらに酸触媒とを所定量配合してなる塗料組成物によって加工性、硬度のバランスに優れ、かつ金属密着性、ポリオレフィン接着性、硬化性、フレーバー性、衛生性、耐沸騰水性および滑り性に優れた塗膜を形成できるため、該塗料組成物が金属キャップ内面被覆用塗料として好適に用いられ得ることを見出し、本研究を完成させるに到った。
【０００９】
すなわち、本発明は、数平均分子量が１，０００〜１００，０００、水酸基価が３〜４０ｍｇＫＯＨ／ｇ、ガラス転移温度が１０〜９０℃であるポリエステルポリオール樹脂（Ａ）、レゾール型フェノール樹脂架橋剤（Ｂ）、極性基含有ポリオレフィン樹脂粒子を有機溶剤中に分散せしめてなる樹脂分散体（Ｃ）、フッ素樹脂または反応性シリコーン化合物で変性された融点９０℃以上のワックスを有機溶剤中に溶解もしくは分散せしめてなるワックス溶液及び／または分散体（Ｄ）及び酸触媒（Ｅ）を含んでなる塗料組成物であって、
（Ａ）と（Ｂ）との重量比が（Ａ）／（Ｂ）＝７０／３０〜３０／７０であり、かつ、
（Ａ）と（Ｂ）との合計１００重量部に対して（Ｅ）の酸相当部の重量が０．１〜５重量部であることを特徴とする塗料組成物に関する。
【００１０】
また、本発明は、（Ａ）と（Ｂ）との合計１００重量部に対して、フッ素樹脂または反応性シリコーン化合物で変性された融点９０℃以上のワックスの量が０．１〜１０重量部であることを特徴とする上記発明記載の塗料組成物に関する。
【００１１】
さらに、本発明は、上記発明記載の塗料組成物を用いてなる金属キャップ内面被覆用塗料に関する。
【００１２】
さらにまた、本発明は、上記発明記載の金属キャップ内面被覆用塗料から形成される硬化塗膜により内面側が被覆されてなる金属キャップに関する。
【発明の効果】
【００１３】
本発明の塗料組成物によって、加工性と硬度とのバランスに優れ、密着性、硬化性、衛生性、フレーバー性及び耐沸騰水性、ポリオレフィン接着性および塗装面の滑り性に優れた塗膜を形成できる。したがって本発明の塗料組成物は、金属缶内外面、金属蓋内外面、さらに好ましくは金属キャップ内外面などを被覆するための塗料として好ましく使用することができる。
【発明を実施するための最良の形態】
【００１４】
ポリエステルポリオール樹脂（Ａ）：
本発明の塗料組成物に用いられるポリエステルポリオール樹脂（Ａ）は、水酸基を含有するポリエステル樹脂であり、オイルフリーポリエステル樹脂、油変性アルキド樹脂、また、これらの樹脂の変性物、例えばウレタン変性ポリエステル樹脂、ウレタン変性アルキド樹脂などのいずれであってもよい。なかでもオイルフリーポリエステル樹脂であることが耐熱性の観点から好ましい。
【００１５】
上記オイルフリーポリエステル樹脂は、有機酸、中でも主に多塩基酸と多価アルコールとのエステル化物である。多塩基酸成分としては、例えば無水フタル酸、イソフタル酸、テレフタル酸、テトラヒドロ無水フタル酸、ヘキサヒドロ無水フタル酸、ヘキサヒドロテレフタル酸、コハク酸、フマル酸、アジピン酸、セバシン酸、無水マレイン酸、フマル酸などから選ばれる１種以上の二塩基酸やその無水物が主として用いられ、必要に応じて無水トリメリット酸、メチルシクロヘキセントリカルボン酸、無水ピロメリット酸などの３価以上の多塩基酸やその無水物、さらには安息香酸、クロトン酸、ｐ−ｔ−ブチル安息香酸などの一塩基酸などが併用される。上記の多塩基酸やその無水物、さらに一塩基酸は単独で、あるいは２種以上を混合して使用することができる。
【００１６】
多価アルコールとしては、例えばエチレングリコール、ジエチレングリコール、１，２−プロピレングリコール、１，３−プロパンジオール、１，４−ブタンジオール、ネオペンチルグリコール、３−メチルペンタンジオール、１，４−ヘキサンジオール、１，６−ヘキサンジオール、２−エチル２−ブチルプロピレングリコール、１，４−ジメチロ−ルシクロヘキサンなどの二価アルコールが主に用いられ、さらに必要に応じてグリセリン、トリメチロールエタン、トリメチロールプロパン、ペンタエリスリトールなどの３価以上の多価アルコールを併用することができる。これらの多価アルコールは単独で、あるいは２種以上を混合して使用することができる。
有機酸と多価アルコールとのエステル化反応は、公知の方法によっておこなうことができる。
【００１７】
上記オイルフリーポリエステル樹脂は、エステル化反応において、多塩基酸のかわりに多塩基酸の低級アルキルエステル（例えばメチルエステル、エチルエステルなど）を用い、エステル交換反応をおこなうことによっても得ることができる。このエステル交換反応は、公知の方法によっておこなうことができる。
【００１８】
本発明において、ポリエステルポリオール樹脂（Ａ）は、数平均分子量が１，０００〜１００，０００、水酸基価が３〜４０ｍｇＫＯＨ／ｇ、ガラス転移温度（以下、「Ｔｇ」と略称することがある）が１０〜９０℃であることが重要であり、数平均分子量が５，０００〜４０，０００、水酸基価が５〜４０ｍｇＫＯＨ／ｇ、Ｔｇが４０〜７０℃であることが、得られる硬化塗膜の加工性、硬度、耐水性、耐沸騰水性などの点から好適である。
ポリエステルポリオール樹脂の数平均分子量が１，０００未満である場合、得られる硬化塗膜の加工性が十分でなく、一方、１００，０００を超えると、得られる塗料の粘度が高くなりすぎ、塗装性不良となりやすいため好ましくない。
ポリエステルポリオール樹脂の水酸基価が３ｍｇＫＯＨ／ｇ未満である場合、反応性が不十分となり、得られる硬化塗膜のレトルト耐性が低下しやすく、一方、４０ｍｇＫＯＨ／ｇを超えると、加工性が低下するため好ましくない。
ポリエステルポリオール樹脂のＴｇが１０℃未満である場合、得られる硬化塗膜がブロッキングを引き起こし易くなるとともにレトルト耐性が低下しやすく、一方、９０℃を超えると、加工性が低下するため好ましくない。
【００１９】
レゾール型フェノール樹脂架橋剤（Ｂ）：
本発明においてとして用いられるレゾール型フェノール樹脂架橋剤（Ｂ）は、フェノール類とホルムアルデヒド類とを反応触媒の存在下で加熱して縮合反応させて、メチロール基を導入してなる樹脂であり、導入したメチロール基はさらにアルキルエーテル化されていてもよい。
【００２０】
上記フェノール樹脂を構成するフェノール成分としては、例えば、ｏ−クレゾール、ｐ−クレゾール、ｐ−ｔｅｒｔ−ブチルフェノール、ｐ−エチルフェノール、２，３−キシレノール、２，５−キシレノール、ｐ−ｔｅｒｔ−アミノフェノール、ｐ−ノニルフェノール、ｐ−シクロヘキシルフェノール等の２官能性フェノール類、石炭酸、ｍ−クレゾール、ｍ−エチルフェノール、３，５−キシレノール、ｍ−メトキシフェノール等の３官能性フェノール類、２，４−キシレノール、２，６−キシレノール等の１官能性フェノール類等が挙げられ、これらは単独で、あるいは２種類以上を併用して用いることができる。
【００２１】
レゾール型フェノール樹脂架橋剤（Ｂ）の製造に用いられるホルムアルデヒド類としては、ホルムアルデヒド、パラホルムアルデヒド又はトリオキサンなどが挙げられ、１種で、又は２種以上混合して使用することができる。
【００２２】
レゾール型フェノール樹脂架橋剤（Ｂ）の配合量は、ポリエステルポリオール樹脂（Ａ）とレゾール型フェノール樹脂架橋剤（Ｂ）の重量比が（Ａ）／（Ｂ）＝７０／３０〜３０／７０の範囲であることが重要であり、好ましくは（Ａ）／（Ｂ）＝６０／４０〜４０／６０である。（Ａ）の割合が７０を超えると架橋反応が十分に行われず、得られる硬化塗膜は、耐水性、塗膜硬度などが劣り、一方、（Ａ）の割合が３０未満の場合、得られる硬化塗膜の加工性が劣る。
【００２３】
極性基含有ポリオレフィン樹脂粒子を有機溶剤中に分散せしめてなる樹脂分散体（Ｃ）：
樹脂分散体（Ｃ）に用いることができる極性基含有ポリオレフィン樹脂としては、酸化ポリエチレン、エチレン−アクリル酸共重合物、カルボン酸グラフト変性ポリオレフィン等の、極性基としてカルボニル基やカルボキシル基等を有するポリオレフィン樹脂を例示できる。カルボン酸グラフト変性ポリオレフィンとしては、マレイン酸、無水マレイン酸のような不飽和カルボン酸またはその無水物を過酸化物の存在下でポリオレフィンにグラフト重合させたものが挙げられる。
極性基含有ポリオレフィン樹脂の酸価は０．５〜４０ｍｇＫＯＨ／ｇであることが好ましい。
樹脂分散体（Ｃ）は例えば、極性基含有ポリオレフィン樹脂を有機溶剤中に加熱溶解させた後冷却して、溶剤中に樹脂粒子を析出させることにより得ることができる。
樹脂分散体（Ｃ）中の樹脂粒子の平均粒子径は好ましくは１００μｍ以下、さらに好ましくは５０μｍ以下のものが用いられる。
極性基含有ポリオレフィン樹脂を分散するための有機溶剤としては冷却析出後、安定して樹脂粒子を分散できる有機溶剤であればよく特に限定されないが、
例えば、トルエン、キシレン、高沸点石油系炭化水素などの炭化水素系溶剤、メチルエチルケトン、メチルイソブチルケトン、シクロヘキサノン、イソホロンなどのケトン系溶剤、酢酸エチル、酢酸ブチル、エチレングリコールモノエチルエーテルアセテート、ジエチレングリコールモノエチルエーテルアセテートなどのエステル系溶剤、メタノール、エタノール、ブタノールなどのアルコール系溶剤、エチレングリコールモノエチルエーテル、エチレングリコールモノブチルエーテル、ジエチレングリコールモノブチルエーテルなどのエーテルアルコール系溶剤などを挙げることができ、これらは単独で、あるいは２種以上を混合して使用することができる。
本発明のごとく、樹脂分散体の形態として塗料組成物に配合することにより、塗料組成物中において極性基含有ポリオレフィン樹脂の粗大粒子の存在を抑制することができるため、塗膜欠陥が発生しない、良好な塗装性を得ることが可能である。
さらに、粗大粒子の存在によるライナー材接着力のバラツキを防ぐことができる。
【００２４】
極性基含有ポリオレフィン樹脂の配合量は、ポリエステルポリオール樹脂（Ａ）とレゾール型フェノール樹脂硬化剤架橋剤（Ｂ）の合計１００重量部に対して１〜４０重量部であることが好ましい。１重量部より少ないと得られる硬化塗膜のポリオレフィンに対する接着性が不良となり、また４０重量部を超えると塗膜が酸化し易くなり、塗膜の透明性やレトルト耐性が低下するため好ましくない。
【００２５】
フッ素樹脂または反応性シリコーン化合物で変性した融点９０℃以上のワックスを有機溶剤中に溶解もしくは分散せしめてなるワックス溶液及び／または分散体（Ｄ）：
本発明で用いる融点９０℃以上の変性ワックスとしては、ポリエチレンワックス（融点１１７℃）、マイクロクリスタリンワックス（融点１００℃）、ポリプロピレンワックス（融点１６０〜１７０℃）等のワックス類をテフロン（登録商標）等のフッ素系樹脂により物理的に変性した変性ワックスあるいは反応性シリコン化合物で変性した変性ワックスを例示できる。例えば前者の例としてジョージ・エム・ランガー社から市販されている「ランコワックス」（商品名）として入手できる。融点が９０℃より低いワックスは、金属基材とポリオレフィンとの接着力を著しく低下させると共に、金属キャップ用として使用した時の開栓性向上効果においても劣っている。
本発明に用いるワックス溶液及び／または分散体（Ｄ）は、例えば、あらかじめ平均粒子径が３〜１０μｍ程度に微細化された、フッ素樹脂または反応性シリコーン化合物で変性した融点９０℃以上のワックスを、常温で、芳香族系溶剤などの有機溶剤中に、１０〜２０重量％程度の不揮発分となるように混合攪拌することにより得ることができる。
【００２６】
融点９０℃以上の変性ワックスの配合量は、（Ａ）、（Ｂ）樹脂固形分の合計１００重量部に対し０．１〜１０重量部であることが好ましく、さらに好ましくは０．５〜６重量部である。０．１重量部より少ないと硬化塗膜の滑り性、延いてはキャップの開栓性向上効果に乏しく、１０重量部を超えるとポリオレフィンに対する接着性を阻害することとなるので好ましくない。
有機溶剤中の分散体として使用する場合には、変性ワックスの平均粒子径は１００μｍ以下であることが好ましい。
本発明においては、ワックスを含有する塗料組成物を調製するにあたって、ワックスを溶剤中に溶解及び／または分散した状態で使用することが重要である。ワックスを単体にて添加する場合に比して、塗料中におけるワックスの凝集を抑制することができ、ワックスの粗大粒子の生成を防止することができる。その結果、塗料中のワックスの沈降を抑制することができ、さらに、平滑性に優れる硬化塗膜を得ることが可能となる。
【００２７】
酸触媒（Ｅ）：
酸触媒（Ｅ）は、本発明の塗料組成物の硬化反応を促進するものであり、例えば、パラトルエンスルホン酸、ドデシルベンゼンスルホン酸、ジノニルナフタレンスルホン酸、ジノニルナフタレンジスルホン酸、燐酸などの酸触媒又はこれらの酸のアミン中和物などを具体例として挙げることができる。なかでもスルホン酸化合物又はスルホン酸化合物のアミン中和物が好適である。
【００２８】
酸触媒（Ｅ）の配合量は、得られる塗膜の物性などの点から、酸相当部の重量（例えば、スルホン酸化合物のアミン中和物の場合は、この中和物から当該アミンを除去した残りのスルホン酸化合物に相当する重量のことを示し、未中和物であれば酸そのものの重量に相当する。）としてポリエステルポリオール樹脂（Ａ）とレゾール型フェノール樹脂架橋剤（Ｂ）の合計１００重量部に対して、０．１〜５重量部であり、好ましくは０．２〜２重量部の範囲内である。
酸触媒の、酸相当部の重量としての配合量が０．１重量部未満である場合、硬化性が不十分となりやすく、得られる硬化塗膜の耐水性や硬度が低下し、一方、５重量部を超えると、硬化塗膜の加工性が低下しやすくなるため好ましくない。
【００２９】
本発明の塗料組成物は、ポリエステルポリオール樹脂（Ａ）、レゾール型フェノール樹脂架橋剤（Ｂ）、極性基含有ポリオレフィン樹脂粒子を有機溶剤中に分散せしめてなる樹脂分散体（Ｃ）、フッ素樹脂または反応性シリコーン化合物で変性した融点９０℃以上のワックスを有機溶剤中に溶解もしくは分散せしめてなるワックス溶液及び／または分散体（Ｄ）及び酸触媒（Ｅ）を必須成分とするものであって、塗装性の観点などから、通常、溶剤を含有する。
この溶剤としては、極性基含有ポリオレフィン樹脂粒子を有機溶剤中に分散せしめてなる樹脂分散体（Ｃ）の説明において例示した各種有機溶剤を用いることができる。
【００３０】
本発明の塗料組成物は、さらに必要に応じて、塗膜の改質を目的に、その他の樹脂を配合することができ、また、さらに着色顔料、体質顔料、凝集防止剤、レベリング剤、消泡剤などの塗料用添加剤、少量のメラミン樹脂硬化剤を配合することもできる。
【００３１】
本発明の塗料組成物は、好ましくは金属板基材に塗装して用いられる。塗装方法としては、ナチュラルロールコーター、リバースロールコーター等のロールコーターの使用が好ましい。塗装厚さは、乾燥膜厚として５〜１００mg/dm2程度であることが好ましい。塗装膜の焼付条件としては、温度が１７０〜２３０℃、時間が３０秒間〜１５分間程度の範囲が好ましく採用される。金属板基材としては、アルミニウム板、冷延鋼板、ステンレス板、電気もしくは溶融亜鉛めっき鋼板、電解クロム酸処理鋼板、錫めっき鋼板等各種の金属板基材を例示できる。
【００３２】
本発明の塗料組成物により得られる硬化塗膜は、金属キャップ内面塗料としての利用に必要なポリオレフィンに対する接着性に優れているので、本発明の塗料組成物は金属キャップ内面被覆用塗料として好ましく用いることができる。
ポリオレフィンは成形物を熱圧着により硬化塗膜面と接着してもよく、また溶融ポリオレフィンを成形時に圧着して硬化塗膜面と接着させてもよい。ポリオレフィンとしては、高密度ポリエチレン、中密度ポリエチレン、低密度ポリエチレン、ポリプロピレン、エチレン−α−オレフィン共重合体、エチレン−酢酸ビニル共重合体等を例示できる。これらを金属キャップのライナーとして使用する場合は、上記ポリオレフィンにスチレン−ブタジエン共重合体、スチレン−イソブチレン共重合体を適宜配合したポリオレフィン組成物とすることが好ましい。
【００３３】
また、本発明の塗料組成物を金属キャップ内面被覆用塗料として利用し、内面側が被覆された、本発明の金属キャップを得ることができる。例えば、本発明の塗料が塗装され、硬化塗膜が設けられた金属板基材を打ち抜いた後しぼり加工により、該硬化塗膜が内側となる円筒状とし、ついでこのキャップの内側底面にポリオレフィンまたはポリオレフィン組成物からなるライナーを熱溶融接着することにより、本発明の金属キャップを得ることができる。
【実施例】
【００３４】
以下、実施例により本発明をさらに具体的に説明する。なお、以下、「部」及び「％」はいずれも重量基準によるものとする。
【００３５】
（実施例１）
下記の原料をメチルエチルケトン／シクロヘキサノン＝５０／５０の比率からなる混合溶剤１５０部中に溶解、分散させ塗料を製造した。
（Ａ）ポリエステルポリオール樹脂〔商品名；「バイロンＧＫ３６０」（数平均分子量１５，０００、水酸基価８．５ｍｇＫＯＨ／ｇ、酸価４．５ｍｇＫＯＨ／ｇ、Ｔｇ５６℃）東洋紡績（株）製〕；５０部
（Ｂ）フェノール樹脂（ｐ−クレゾールをフェノール成分とするアンモニアレゾール型フェノール樹脂）；５０部
（Ｃ）カルボシキル基グラフト変性ポリプロピレン樹脂の分散体〔商品名；「リオフレックス４１８８」、固形分１０％、東洋インキ製造（株）製〕；１００部（固形分として１０部）
（Ｄ）変性ワックスの分散体；テフロン（登録商標）変性ポリエチレンワックス〔商品名；「ランコワックスＴＦ１７８０」、融点１０６℃、ジョージ・エム・ランガー（株）製〕１０部をキシレン９０部に分散させた分散体；３０部
（Ｅ）酸触媒（商品名；「ネイキュア５２２５」）０．８部（ドデシルベンゼンスルホン酸量として０．２重量部）（注）
（注）ネイキュア５２２５：米国、キング インダストリイズ社製のドデシルベンゼンスルホン酸のアミン中和溶液。ドデシルベンゼンスルホン酸含有量は２５％。
上記で得られた塗料を、板厚０．２５ｍｍのアルミニウム板上に、乾燥膜厚が３〜６μｍとなるように、ナチュラルロールコーターを用いて塗工した。次いでガスオーブンを用いて１９０℃、１０分間で焼付硬化した。得られた塗装板について以下の試験をおこなった。
【００３６】
（試験方法）
（１）ポリオレフィン接着性試験（キャップライナー材接着性試験）
ポリオレフィン樹脂シート（ポリエチレンシートもしくはポリプロピレンシート）を塗装板の硬化塗膜に、ポリエチレンシートについては１３０℃−１０秒間、ポリプロピレンシートについては１７０℃−１０秒間の条件にてそれぞれ熱圧着して接着し、裁断して幅が１ｃｍの試験片を作製し、引っ張り試験にて剥離角９０°方向に剥離したときの接着強度を測定した。
【００３７】
（２）キャップ打ち抜き加工性試験
塗装板を、塗装面が内側となるように直径３．８ｃｍ深さ５ｃｍのキャップ状に打ち抜き、加工部の塗膜のワレ状態、塗膜の浮きを拡大鏡にて観察した。
【００３８】
（３）塗膜硬化性試験（ＭＥＫラビング）
２ポンドハンマーにガーゼを巻き、メチルエチルケトンを含浸させ、塗装板の硬化塗膜上を３０回往復させた後の塗膜の状態を観察した。
【００３９】
（４）キャップの開栓性試験（滑性試験）
塗装板の硬化塗膜上において、荷重１ｋｇ、引張り速度１５０ｃｍ／分における鋼球三点支持法による動摩擦係数測定により評価した。動摩擦係数が小さいほど、キャップの開栓性は良好となる。
【００４０】
なお、上記各試験についての評価は、すべて５段階での評価とした。
５点：非常に良好。実用域。
４点：良好。実用域。
３点：やや劣る。
２点：劣る。
１点：著しく劣る。
試験結果を表１に示す。
【００４１】
（実施例２）
「バイロンＧＫ３６０」３０部、フェノール樹脂７０部、「ランコワックスＴＦ１７８０」の分散体５０部を用いたこと以外は実施例１と同様にして塗料を製造した。
さらに実施例１と同様にして塗装板を作製し、試験をおこなった。
【００４２】
（実施例３）
「バイロンＧＫ３６０」７０部、フェノール樹脂３０部、「ランコワックスＴＦ１７８０」の分散体５０部を用いたこと以外は実施例１と同様にして塗料を製造した。
さらに実施例１と同様にして塗装板を作製し、試験をおこなった。
【００４３】
（実施例４）
「ランコワックスＴＦ１７８０」の分散体３０部に代えて、テフロン（登録商標）変性ポリエチレンワックス〔商品名；「フルオロスリップ４２１Ｔ」、融点１１３℃、シャムロック社製〕１０部をキシレン９０部に分散させた分散体５０部を用いたこと以外は実施例１と同様にして塗料を製造した。
さらに実施例１と同様にして塗装板を作製し、試験をおこなった。
【００４４】
（実施例５）
「ランコワックスＴＦ１７８０」の分散体３０部に代えて、テフロン（登録商標）変性ポリエチレンワックス〔商品名；「フルオロスリップ５１１」、融点１２６℃、シャムロック社製〕１０部をキシレン９０部に分散させた分散体５０部を用いたこと以外は実施例１と同様にして塗料を製造した。
さらに実施例１と同様にして塗装板を作製し、試験をおこなった。
【００４５】
(比較例１)
「バイロンＧＫ３６０」８０部、フェノール樹脂２０部を用いたこと以外は実施例１と同様にして塗料を製造した。
さらに実施例１と同様にして塗装板を作製し、試験をおこなった。
【００４６】
(比較例２)
「バイロンＧＫ３６０」２０部、フェノール樹脂８０部を用いたこと以外は実施例１と同様にして塗料を製造した。
さらに実施例１と同様にして塗装板を作製し、試験をおこなった。
【００４７】
（比較例３）
「ランコワックスＴＦ１７８０」の分散体３０部に代えて、カルナウバワックス（融点；８０℃）１０部をキシレン９０部に分散させた分散体４０部を用いたこと以外は実施例１と同様にして塗料を製造した。
さらに実施例１と同様にして塗装板を作製し、試験をおこなった。
【００４８】
（比較例４）
「ランコワックスＴＦ１７８０」の分散体３０部に代えて、マイクロクリスタリンワックス（融点；１００℃）１０部をキシレン９０部に分散させた分散体３０部を用いたこと以外は実施例１と同様にして塗料を製造した。
さらに実施例１と同様にして塗装板を作製し、試験をおこなった。
【００４９】
(比較例５)
「ランコワックスＴＦ１７８０」の分散体３０部に代えて、ラノリンワックス（融点；４０℃）１０部をキシレン９０部に分散させた分散体３０部を用いたこと以外は実施例１と同様にして塗料を製造した。
さらに実施例１と同様にして塗装板を作製し、試験をおこなった。
【００５０】
(比較例６)
「ランコワックスＴＦ１７８０」の分散体を用いなかったこと以外は実施例１と同様にして塗料を製造した。
さらに実施例１と同様にして塗装板を作製し、試験をおこなった。
【００５１】
【表１】
2007138011.tif 000002
【００５２】
本発明の塗料組成物は、金属板に限らず、プラスチックス、ガラス板などの種々の被塗物に塗装することもできる。本発明の塗料組成物を塗装した被覆面はポリオレフィンとの接着性に優れるため、ポリオレフィンのような本来接着性が悪い素材に対してもこれを接着させることができ、幅広い用途展開が期待できる。
また、本発明によれば、硬化塗膜の滑り性が著しく良好なポリオレフィン接着性塗料が提供されるので、これを金属製キャップ内面用塗料として利用することで、金属製キャップを必要とするあらゆる包装容器（ガラス製ビン、金属製ボトル形状缶など）におけるキャップ開栓性が大幅に改善される